(57)【要約】【課題】  種子を肥料と分離配置し種子と肥料が初期に接触することを防止し、種子の発芽率と成長率を向上させることができる缶花鉢を提供する事を目的とする。【解決手段】  上部と下部とに開封可能な上部蓋４及び下部蓋５を各々備えた缶本体２と、植物の種子１０を含み前記缶本体２に収納される培養材６とからなる植栽用缶詰１であって、前記缶本体２の内部には、前記培養材６を上下方向で仕切る仕切手段７と、前記仕切手段の下側には肥料成分８を含む培養材６と、前記仕切手段７の上側は肥料成分を含まない培養材６及び前記種子１０とを収容する。【選択図】        図３
2005151980.tif 000002
【特許請求の範囲】
【請求項１】
上部と下部とに開封可能な上部蓋及び下部蓋を各々備えた缶本体と、植物の種子を含み前記缶本体に収納される培養材とからなる植栽用缶詰であって、
前記缶本体の内部には、前記培養材を上下方向で仕切る仕切手段と、前記仕切手段の下側には肥料を含む培養材と、前記仕切手段の上側は肥料成分を含まない培養材及び前記種子と、を収容することを特徴とする植栽用缶詰。
【請求項２】
前記仕切手段は、複数の繊維ボールにより形成された繊維ボール層である請求項１記載の植栽用缶詰。
【請求項３】
前記仕切手段は、複数の貫通孔を備えた仕切り板である請求項１記載の植栽用缶詰。
【請求項４】
前記上部蓋は上部の略全面が開口し、前記下部蓋は下部の一部が開口してなる請求項１から３のいずれか１項に記載の植栽用缶詰。
【請求項５】
前記培養材は、無菌性土壌からなる請求項１から４のいずれか１項に記載の植栽用缶詰。
【請求項６】
前記缶本体の内部は完全密封されてなる請求項１から５のいずれか１項に記載の植栽用缶詰。
【請求項７】
前記缶本体の下部には着脱可能な外部キャップを備えてなり、前記外部キャップには通気孔を設けてなる請求項１から６のいずれか１項に記載の植栽用缶詰。
【請求項８】
前記外部キャップは、前記下部蓋の開口からの排水を貯めることが可能な貯留部と前記缶本体の下端に嵌合する嵌合部とを備え、前記貯留部の上方箇所に前記通気孔を設けてなる請求項１から７のいずれか１項に記載の植栽用缶詰。
【請求項９】
前記缶本体の側面に透明材質の窓が備えてなる請求項１から８のいずれか１項に記載の植栽用缶詰。
【請求項１０】
前記缶本体の内面に、少なくとも前記種子の種類毎に設定される前記肥料を含む培養材の収納量の目印となる目盛りを設けてなる請求項１から９のいずれか１項に記載の植栽用缶詰。
【請求項１１】
前記種子は、マメ科の種子であり、種皮及び子葉に文字又は図形を焼き付けた種子を前記缶本体に収納してなる請求項１から１０のいずれか１項に記載の植栽用缶詰。
【請求項１２】
前記種子の種皮及び子葉は、レーザーにより焼き付けてなる請求項１１記載の植栽用缶詰。
【発明の詳細な説明】
【技術分野】
【０００１】
本願発明は、植物の種子と培養材とを収納した植栽用缶詰に関するもので、より詳細には、植栽用缶詰の収納構造を改善し、種子の発芽率及び生長率を向上させる植栽用缶詰に関するものである。
【背景技術】
【０００２】
最近、飲料水の缶と類似した金属材の缶本体に植物の種子と乾燥させた培養土とを収納し、水を与えることにより植物を育成することができる植栽用の缶詰が販売されている。このような植栽用缶詰は、従来の花鉢のように重たくもなく、運搬及び保管が容易であるだけでなく、肥料が含まれた培養材が内蔵されており、別途の肥料を与えなくとも、水を与えると簡単に花や草を育てることができるものであった。
図１０は、従来の植栽用缶詰の断面図である。従来の植栽用缶詰１７は上部と下部に開封可能な上部蓋１８及び下部蓋が各々形成された金属材質の缶である。そして、図１０に示すように、缶本体１７の底面の上には排水網２０を設け、缶本体１７の内部には種子２１が配置された培養材２２が充填されている。下部蓋には排水口１９が備えられ、不要な水分を排出可能となっている。培養材２２は、窒素を主成分としてピートモスと同じ肥料成分（肥料２３）が約５％程度含まれた乾燥された状態の植材である。前記上部蓋１８の開口部を通じて水を与えると培養材２２の中に含まれた種子２１が水を吸収し発芽させ、肥料成分（肥料２３）は水に溶けて種子２１の周りに養分が充満した状態になり、発芽した種子２１はこの養分を吸収しながら成長する。
【発明の開示】
【発明が解決しようとする課題】
【０００３】
しかし、このような構造の植栽用缶詰は缶本体内の種子の相当部分が腐り、種子の成長率が低いという問題がある。
すなわち、前記種子に水を与えると相対的に浸透圧が高い種子から周辺の肥料成分側へ水分を奪われて、水分が抜けた部分が縮まりながら種子が発芽できない状態にて腐るという問題点がある。
また、種子は一旦水分を吸収すると発芽するが、発芽直後の種子の根は非常に軟弱な状態にあり、根があまり早く肥料と接触してしまえば、周囲の肥料から過多な養分が供給され根がくるい、成長する前に腐るという問題がある。
【０００４】
前記の問題を解決する為に種子を出来るだけ肥料成分と離して配置させる構造としたが、植栽用缶詰を運搬する過程において肥料と種が移動してしまうことがあり、輸送時間が経つと、種子や肥料が下方に移動し、それらは結局近くに位置してしまい、十分な解決策にはならなかった。
【０００５】
本願発明は係る問題に鑑み、種子を肥料と分離配置し種子と肥料が初期に接触することを防止し、種子の発芽率と成長率を向上させることができる缶花鉢を提供する事を目的とする。
【課題を解決するための手段】
【０００６】
本願発明に係る植栽用缶詰は、上部と下部とに開封可能な上部蓋及び下部蓋を各々備えた缶本体と、植物の種子を含み前記缶本体に収納される培養材とからなる植栽用缶詰であって、前記缶本体の内部には、前記培養材を上下方向で仕切る仕切手段と、前記仕切手段の下側には少なくとも肥料を含む培養材と、前記仕切手段の上側は少なくとも肥料成分を含まない培養材及び前記種子とを収容するものである。
【０００７】
したがって、仕切手段によって、肥料成分を含まない培養材と肥料成分を含む培養材とが仕切られ、肥料成分のない培養材に種子を収納するので、種子に水を与えたときに種子の浸透圧が高くなり難く（周辺の肥料成分に水分を奪われ難く）なり、発芽できない状態で腐り難くすることができる。
また、発芽直後の根が、肥料成分と接触することもないので、過多の養分が供給されるのを防止し、根腐れの確率を低くすることができる。
また、仕切手段によって肥料成分を含まない培養材と肥料成分を含む培養材を隔離しているので、運搬過程中にもそれらが混じり合うことがなくなる。
【０００８】
また、前記仕切手段は、複数の繊維ボールにより形成された繊維ボール層であってもよい。
【０００９】
また、前記仕切手段は、複数の貫通孔を備えた仕切り板であってもよい。
【００１０】
また、前記上部蓋は上部の略全面が開口し、前記下部蓋は下部の一部が開口するようにしてもよい。
【００１１】
また、前記培養材は、無菌性土壌からなるようにしてもよい。
【００１２】
また、前記缶本体の内部を完全密封してもよい。
【００１３】
また、前記缶本体の下部には着脱可能な外部キャップを備えてなり、前記外部キャップには単又は複数の通気孔を設けてもよい。
【００１４】
また、前記外部キャップは、前記下部蓋の開口からの排水を貯めることが可能な貯留部と前記缶本体の下端に嵌合する嵌合部とを備え、前記貯留部の上方箇所に前記通気孔を設けてもよい。
【００１５】
また、前記缶本体の側面に透明材質の窓が備えてもよい。
【００１６】
また、前記缶本体の内面に、前記種子の種類毎に設定される前記肥料を含む培養材の収納量の目印となる目盛りを設けてもよい。
【００１７】
また、前記種子は、マメ科の種子であり、種皮及び子葉に文字又は図形を焼き付けた種子を前記缶本体に収納してもよい。
【００１８】
また、前記種子の種皮及び子葉を、レーザーにより焼き付けてもよい。
【発明の効果】
【００１９】
以上にしてなる本願発明に係る植栽用缶詰は、仕切手段によって、肥料成分のない培養材と肥料成分を含む培養材とを仕切り、肥料成分のない培養材に種子を収納するので、水を与えたときには、種子の方の浸透圧が高くなり難くなる。つまり、種子の水分が奪われ難くなり、発芽できない状態で腐る確率を低くし、発芽率を高めることができる。
また、発芽直後の根が、肥料成分と接触することもないので、過多の養分が供給されるのを防止し、根腐れの確率を低くし、健康に成長する確率を高めることができる。
また、仕切手段によって肥料成分を含まない培養材と肥料成分を含む培養材を仕切っているので、運搬過程中にもそれらが混じり合うことがなくなる。
【００２０】
また、仕切手段は複数の繊維ボールから形成されるので、植物が成長するとその根は繊維ボール層を突き抜けて肥料成分を含む培養材に接触することができる。また、繊維ボール層の保湿効果により、種子に適度の水分を提供することもできる。
【００２１】
仕切手段が、複数の貫通孔を備えている仕切り板であるので、缶本体への収納が容易である。さらに、根が貫通孔を貫通し肥料成分を含む培養材まで成長するので、根はある程度成長した段階で肥料成分と触れるので、根腐れ等を防止することができる。
【００２２】
また、上部蓋は略全面が開口し、下部蓋は下部の一部が開口するので、通常の植木鉢と同様に、上部から水を与え、下部の開口から余分な水分を排水することができる。
【００２３】
また、培養材として無菌性土壌を用いるので、海外で製造した植栽用缶詰を輸入することや、海外へ植栽用缶詰を輸出することもできる。また、無菌性土壌であるので、長期間保管することができる。
【００２４】
また、缶本体の内部は完全密封しているので、上部蓋及び下部蓋を開封しない限り長い間保管することができる。
【００２５】
また、通気孔を備えた外部キャップを備えているので、缶本体の下部の通気性を向上させ、植物が病気等になるのを防ぐことができる。
【００２６】
また、外部キャップには排水を貯める貯留部を備えているので、水を与えすぎたときには、この貯留部に水を蓄えることができ、別途貯留用の部材を用意することがない。また、貯留部の上方に通気孔を設けているので、貯留部に貯留できない量の排水があった場合には、通気孔から植栽用缶詰の外部に排水して、種子を保護することができる。
【００２７】
また、缶本体の側面に透明部材の窓を備えているので、生育状態を観察することができる。また、生育状態に基づいて、与える水の量等の育成条件を自由に調節することができる。
【００２８】
また、缶本体の内面に肥料成分を含む培養材の収納量の目印となる目盛りを備えているので、この目盛りを目印に培養材を収納すればよく、作業効率を向上させることができる。
【００２９】
また、マメ科の種子の種皮と子葉に焼印をしているので、種子が発芽した後の子葉にも文字が残すことができる。
【００３０】
また、種子へのレーザーで文字を焼き付けるので、多様な文字や図形を簡単に焼き付けることができる。
【発明を実施するための最良の形態】
【００３１】
以下に、本願発明に係る植栽用缶詰の一実施例について、図面を用いて説明する。
図１は植栽用缶詰１（以下、缶詰１と称す。）を上部蓋側から見た斜視図であり、図２は缶詰１を下部蓋側から見た斜視図であり、図３は缶詰１の断面図である。
【００３２】
缶詰１は、図１及び図２に示すように、缶本体２と缶本体２の下部に着脱可能な外部キャップ３からなっている。缶本体２はスチール、アルミ等の金属材料からなり、略円筒形の筒の上部に上部蓋４及び下部に下部蓋５を各々備えて、完全密封している。
缶詰１の大きさは特に限定するものではないが、運搬、保管等の観点から飲料用の缶と略同一の大きさであることが望ましい。
【００３３】
前記上部蓋４の上面には、図１に示すように、上部蓋４の略全面を開口するためのスコア（切り溝）４ｂが設けられており、該スコア４ｂに沿って切り離し部４ｃは切り離されて、上部開口４ｄ（図４参照）が開口される。前記切り離し部４ｃには、プルトップ（タブ）４ａが備えられており、該プルトップ４ａを上方に持ち上げて引っ張ることで、スコア４ｂに沿って破断し切り離し部４ｃが缶本体２から切り離される。この上部蓋４は、食品等の缶詰に使用される蓋用の部材と同じものであり、それらを用いることで低コストの缶詰１を製造することができる。
【００３４】
前記下部蓋５の下面（外面）には、図２に示すように、プルトップ（タブ）５ａ、下部蓋５の一部を開口するための略円形状のスコア（切り溝）５ｂ、プルトップ５ａによって押圧される略円形状の被押圧部５ｃとを備えている。そして、前記下面部側のプルトップ５ａを缶本体の外方に引っ張ると（図２では、略上方に引っ張ると）、前記被押圧部５ｃはスコア５ｂに沿って破断し、下部開口５ｄが開口する。この下部蓋５は、飲料等の缶詰に使用される蓋用の部材と同じものであり、それらを用いることで低コストの缶詰１を製造することができる。なお、下部蓋５は、開封時にプルトップ（タブ）５ａを切り取らない方式のプルトップ（タブ）であっても、切り取る方式のプルトップ（タブ）であってもよい。
【００３５】
また、図３に示すように、缶本体２の内部には、培養材６を上下方向で仕切る複数の繊維ボール７ａ，…，７ａにより形成された繊維ボール層７（仕切手段７）が収納される。この繊維ボール層７の下部には、肥料８を含んだ培養材６と、排水網９とが収納される。また繊維ボール層７の上部には、肥料成分を含まない培養材６と、種子１０とが収納される。
【００３６】
繊維ボール層７は、繊維を小さな塊にした繊維ボール７ａの複数を、前記肥料８を含む培養材６の上から水平方向に敷き詰めて、隣接する繊維ボール７ａ，…，７ａ同士が絡まって仕切手段を構成している。繊維ボール７ａは、人工繊維、自然繊維のどちらであってもよいが、後述するように、繊維ボールにある程度の保湿性が高い繊維がよく、例えば脱脂綿等の繊維ボールである。また、前記繊維ボール層７は、缶詰１が輸送される途中でも繊維ボール層７の上部の培養材６（種子１０を含む培養材６）と下部の培養材６（肥料８を含む培養材６）とを仕切って、輸送後にも肥料８と種子１０を適切に分離する。また、図３に示すように、繊維ボール層７の上部に種子１０を配置すると、輸送前後での種子１０の位置を固定可能にするだけでなく、缶詰１に水分を注いだ際に繊維ボール層７の保湿性により種子に水分を維持させることもできる。
なお、種子１０が発芽して成長したときに、根が繊維ボール層７を貫通できるように適宜の量の繊維ボール７ａから構成する。
【００３７】
また、前記培養材６は、図３に示すように、繊維ボール層７の上部と下部に充填され、必要かつ適切な水分を維持することが可能な植材である。この培養材６は、蛭石を主成分とするバーミキュライト、真珠岩を主成分とするパーライト等の無菌性の人工土壌で乾燥した状態の植材であり、必要且つ適切な水分を維持することができる植材である。
また、繊維ボール層７の上部に配置される培養材６と繊維ボール層７の下部に配置される培養材６とは、同一の培養材６を用いるが、異なった培養材６を使用してもよい。
なお、本願発明における肥料成分を含まない培養材とは、培養材自体に肥料成分が含まれず、且つ培養材の間に肥料を含まないことを示している。また、肥料成分を含む培養材とは、培養材自体に肥料成分が含まれる、又は培養材の間に肥料が含まれることを示している。
【００３８】
また、前記培養材６が無菌性の人工土壌であれば、土壌の観点から缶詰１を日本国に輸入することが可能なる。なお、輸入や輸出等を考慮しなければ、上述したような無菌性の土壌でなく、種子１０の種類に適した培養材であってもよい。
【００３９】
前記肥料８は、図３に示すように、前記種子１０に適した肥料であり、前記種子１０が成長するときに必要とされる養分や、実がなる植物であれば実をつけるときに必要とされる養分を含んだものである。また、肥料８の表面をコーティングし、缶本体２を開封後最初に水分を注いでから数日したときに該コーティングがなくなり、肥料成分が培養材６に拡散するようにすることもできる。なお、肥料８を納入する位置（繊維ボール層７からの距離）は、種子の種類によって適宜変更してもよい。
【００４０】
前記排水網９は、図３に示すように、缶本体の内径と同一又は僅かに小さい径のスポンジであり、缶本体２の底面に収納し、培養材６が下部開口５ｄからこぼれ落ちないようにする一方で不要な水分を排水するものである。
【００４１】
前記外部キャップ３は、合成樹脂等でできた缶本体２の下部に着脱可能なキャップであり、図１及び図２に示すように、前記下部開口５ｄからの排水を貯めることが可能な貯留部１１と、缶本体２の下部に嵌合する嵌合部１２とを備え、前記嵌合部１２以外の水平箇所（貯留部１１の上方の水平箇所）に通気孔１３を設けている。つまり、図４に示すように、上部蓋４と下部蓋５とを開口して水分を与えた場合、上部開口４ｄから与えた水分のうち前記培養材６や繊維ボール層７等に吸収されなかった水分を、下部開口５ｄから排水し、貯留部１１に貯めることができる。したがって、排水を貯めるための皿などを別途用意する必要性がなくなる。また、通気孔１３を備えているので、缶詰１の外部と内部との通気性を良くし、植物が病気等になり難くすることができる。また、貯留部１１に貯留できない量の排水があった場合には、前記通気孔１３から缶詰１の外部に排水することも可能であり、種子１０を保護することができる。
【００４２】
また、図１〜４に示すように、下部蓋５の径を上部蓋４の径よりも小さくし、外部キャップ３の径と上部蓋４の径とが略同じになるようにしているので、外部キャップ３が嵩張らず輸送が容易になる。
なお、図１〜４では、通気孔１３は水平部に備えていたが、嵌合部以外で且つ貯留部１１の上方の側面等に備えさせてもよい。
【００４３】
上述した缶詰１に収納された種子１０を育成させるには、缶本体２の下部に着けた外部キャップ３を外し、下部蓋５のプルトップ（タブ）５ａを外方に引っ張り（図２における略上方に引っ張り）、下部蓋５の一部に下部開口５ｄを形成し、該外部キャップ３を缶本体２の下部にもう一度取りつける。その後、上部蓋４のプルトップ４ａを外方に引っ張り（図１における略上方に引っ張り）、上部蓋４の略全面に上部開口４ｄを形成する。そして、上部開口４ｄから水を注ぐと、培養材６や繊維ボール層７や種子１０等が水を吸収し、吸収されなかった水は、下部開口５ｄから排出され、外部キャップ３の貯留部１１に貯留する。水分を吸収した種子１０は数日後に発芽し、図４に示すように、茎等は上方に向かって成長し、根は下方に向かって成長する。このとき、根は繊維ボール層７を貫通し肥料８を含む培養材６まで成長する。つまり、発芽した直後の初期の段階では、肥料成分を含まない培養材６内で成長し、その後、ある程度成長した段階で、肥料成分（肥料８）を含む培養材６内まで根を伸ばし、肥料成分を吸収してさらに成長していく。
【００４４】
したがって、肥料成分を含む培養材の中に種子を含ませる構造の植栽用缶詰では、相対的に浸透圧が高い種子から肥料成分の方に水分が奪われ、種子１０の水分が抜けた部分が乾いて腐るといった現象を起こり難くし、発芽率を高めることができる。また、発芽直後の根が、肥料成分と接触することもないので、過多の養分が供給されるのを防止し、根腐れの確率を低くし、健康に成長する確率を高めることができる。そして、ある程度成長した段階で、成長に必要な養分や、結実に必要な養分等を吸収するので、植物を大きく育てることができる。
【００４５】
また、密閉した缶本体２に種子１０が収納されているので、上部蓋４及び下部蓋５を開封しない限り長い間保管できる。さらに、培養材６として無菌性の人工土壌６によってさらに長時間保管できるようになる。
缶本体２の内部構造で、種子１０と肥料８が早期に直接接触しないようになっているほか、運搬中でも上部と下部との培養材６が容易に混ざらないよう缶本体２内の配置構造を改善することによって、種子１０や種子１０の根の腐食を防ぐことができるため、水供給の前後にかかわらず種子の発芽率及び成長率が向上する効果がある。
そして、通常生産される飲料用缶や各種食品用缶と略同一の缶部材によって製造され、その大きさも飲料用缶と略同じ形状と有しているので、低コストで缶詰１を製造することができる。特に、通常の飲料用の缶と略同一の大きさなので、積載・運搬が便利で、運送費用を削減できる。
【００４６】
図１〜図４では、複数の繊維ボール７ａから形成される繊維ボール層７を仕切手段として使用していたが、図５に示すような複数の貫通孔１４ａ，…，１４ａを備えた仕切り板１４を用いて、図６、図７に示すように、肥料成分（肥料８）を含まない培養材６と肥料成分（肥料８）を含む培養材６を仕切るようにしてもよい。貫通孔１４ａの大きさとしては、少なくとも種子１０（図３参照）（１５（図６参照））が貫通できない大きさで形成すると、輸送中の振動によって種子が仕切り板１４を貫通して肥料成分を含む培養材６に移動することがない。なお、前記貫通孔１４ａの配置間隔は、理論的には肥料８も貫通できない大きさで形成することが望ましいが、肥料８は仕切り板１４の下方に配置されているため、上方に移動することは難しいので、肥料が貫通できる大きさで形成してもよい。
なお、前記仕切り板１４は、複数の繊維ボール７ａから形成される繊維ボール層７に比べて缶本体２に容易に収納することができる。
【００４７】
なお、仕切手段としては、前記繊維ボール層７や仕切り板１４以外にも、水溶性の部材（例えば、缶本体２の径と略同じ形状でシート状の部材）によって形成し、運搬中でも上部の培養材６と下部の培養材６とが容易に混ざらないように、水分を与えると前記水溶性の部材が溶けるようにすることもできる。
【００４８】
また、図６に示すように、種子としてマメ科のタチナタマメ１５を用いるときには、このタチナタマメの種皮及び子葉１５ａにレーザーで文字１５ｂや絵などを焼き付けて、缶本体２に収納してもよい。
例えば、図６に示すように、種皮及び子葉に「ＷＩＮ」という文字１５ｂをレーザーで焼き付けたタチナタマメ１５を缶本体２に収納する。そして、上部開口４ｄ及び下部開口５ｄを構成し水を与えて成長させると、培養材６の上面より上まで移動するので、タチナタマメ１５に焼き付けられた文字１５ｂの内容が分かるようになっている。したがって、缶詰１をプレゼントとして贈ったときに、簡単なメッセージを添えることができるようになる。また、レーザーで文字等を焼き付けるので、簡単にメッセージ（文字や図形）の内容を変更して焼き付けることができる。
【００４９】
また、缶本体の側面に透明材質の窓を備えさせ、種子１０（１５）の発芽や生育状態を観察できるようにすることで、生育状態に基づいて、与える水の量等の育成条件を自由に調節することもできる。
【００５０】
また、缶本体２の内面に、肥料８を含んだ培養材６の収納量を判断するための目盛り（目印）（図示しない）を設けてもよい。この目盛りを缶本体２の内面に設けると、肥料８を含んだ培養材６の収納量がすぐに分かり、缶詰１の製造作業をスムーズに行うことができる。なお、全ての植物で同一の目盛りを用いてもよいが、植物の種類毎に成長に適した目盛りを設けて前記培養材６を収納してもよい。
【００５１】
なお、缶詰１の排水性を高めるために、図８に示すように、下部蓋１６の底面部１６ａを漏斗形状に形成し、その中央位置に排水口１６ｂを備えさせてもよい。図９は下部蓋１６の底面部のみの斜視図であるが、底面部を漏斗形状にするだけでなく、底面の周部付近から前記排水口１６ｂに向かって形成される排水溝１６ｃを設けてもよい。この排水溝１６ｃは、排水網９（スポンジ９）からの排水を排水口１６ｂに案内することに加えて、通気性を高めて植物が病気になり難くしている。また、通気性を高めるために、下部蓋１６の内側面１６ｅに単又は複数の通気孔（図示しない）を設けて、通気性を高めることもできる。また、図１〜３で示しているような下部開口５ｄ（図８における排水口１６ｂ）からの排水を貯留する貯留部を備えた外部キャップを（図示しない）を、缶本体２の下部に着脱可能に備えさせてもよい。また、この外部キャップに通気孔を備えさせて通気性を高めてもよい。
【００５２】
なお、図３〜４、図６〜７では、１つの仕切手段（繊維ボール層７、仕切り板１４）によって培養材６を２つに仕切って、上部に肥料成分を含まない培養材６を、下部に肥料成分を含む培養材６を、それぞれ備えさせているが、複数の仕切手段を備えさせて、仕切手段によって仕切られる培養材ごとに含まれる養分を変更することもできる。
【図面の簡単な説明】
【００５３】
【図１】植栽用缶詰を上部蓋側から見た斜視図である。
【図２】植栽用缶詰を下部蓋側から見た斜視図である。
【図３】繊維ボール層を仕切手段として用いた植栽用缶詰の断面図である。
【図４】繊維ボール層を仕切手段として用いた植栽用缶詰で植物を成長させたときの断面図である。
【図５】仕切り板の斜視図である。
【図６】仕切り板を仕切手段として用いた植栽用缶詰の断面図である。
【図７】仕切り板を仕切手段として用いた植栽用缶詰でタチナタマメを成長させたときの断面図である。
【図８】漏斗形状の下部蓋を備えた植栽用缶詰の断面図である。
【図９】漏斗形状の下部蓋の斜視図である。
【図１０】従来の植栽用缶詰の断面図である。
【符号の説明】
【００５４】
１  植栽用缶詰
２  缶本体
３  外部キャップ
４  上部蓋
４ａ  プルトップ
４ｂ  スコア
４ｃ  切り離し部
４ｄ  上部開口
５  下部蓋
５ａ  プルトップ
５ｂ  スコア
５ｃ  被押圧部
５ｄ  下部開口
６  培養材，人工土壌
７  繊維ボール層，仕切手段
７ａ  繊維ボール
８  肥料
９  排水網，スポンジ
１０  種子
１１  貯留部
１２  嵌合部
１３  通気孔
１４  仕切り板
１４ａ  貫通孔
１５  種子，タチナタマメ
１５ａ  子葉
１５ｂ  文字
１６  下部蓋
１６ａ  底面部
１６ｂ  排水口
１６ｃ  排水溝
１６ｅ  内側面
１７  植栽用缶詰
１８  上部蓋
２０  排水網
２１  種子
２２  培養材
２３  肥料
【図１】
2005151980.tif 000003
【図２】
2005151980.tif 000004
【図３】
2005151980.tif 000005
【図４】
2005151980.tif 000006
【図５】
2005151980.tif 000007
【図６】
2005151980.tif 000008
【図７】
2005151980.tif 000009
【図８】
2005151980.tif 000010
【図９】
2005151980.tif 000011
【図１０】
2005151980.tif 000012